(57)【特許請求の範囲】
【請求項１】
被洗浄物を収容したバスケットを洗浄槽内で回転させることにより上記被洗浄物を洗浄し、すすぎ洗いし、乾燥させることができるバレル洗浄装置において、上記洗浄槽内に配置されるように支持されたバレル形のフレーム構体と、該フレーム構体内で回転可能に支持され、内部に被洗浄物を収容するメッシュ構造の洗浄用バスケットと、上記フレーム構体の一方の端板を貫通して上記バスケット内にその中心軸と一致して侵入するように設置され、底部に複数のノズルが設けられた先端が閉塞されたノズル筒とを含むバレル装置と、上記バスケットを上記フレーム構体内で回転させる駆動装置と、上記フレーム構体の上記一方の端板側に設けられたノズル筒の導入口から上記ノズル筒内に洗浄液、すすぎ液、乾燥用熱風を順次に送り込む手段と、を具え
上記フレーム構体は、その両端板間にバスケットを取り囲むように配置された側板を有し、該側板は上記バスケットから出た洗浄液、すすぎ液、乾燥用熱風を上記バスケットに向けて反射させる反射板として作用することを特徴とするバレル洗浄装置。
【請求項２】
フレーム構体の端板、側板に、洗浄液、すすぎ液、乾燥用熱風を洗浄槽内に排出するための開口が形成されていることを特徴とする、請求項１に記載のバレル洗浄装置。
【請求項３】
ノズル筒の底部に設けられた各ノズルは下方に指向された１個の開口からなることを特徴とする、請求項１に記載のバレル洗浄装置。
【請求項４】
ノズル筒の底部に設けられた各ノズルは、概して下方に指向された一定の角度をもって開いて形成された対をなす２個の開口からなることを特徴とする、請求項１に記載のバレル洗浄装置。
【請求項５】
駆動装置は、バスケットを一定の方向に回転させることができ、また正方向、逆方向に交互に回転させることができることを特徴とする、請求項１に記載のバレル洗浄装置。
【請求項６】
洗浄液の供給、すすぎ液の供給、乾燥用熱風の供給を予め設定されたシーケンスに従って制御する制御手段が設けられていることを特徴とする、請求項１に記載のバレル洗浄装置。
【発明の詳細な説明】
【０００１】
【発明の属する技術分野】
本発明は、被洗浄物をバスケットに収容して、このバスケットを１つの洗浄槽中で回転させることにより、上記被洗浄物の洗浄ならびにその後のすすぎ、乾燥を連続して行うバレル洗浄装置に関するものである。
【０００２】
【従来の技術】
従来、被洗浄物、例えば機械部品等の工作物を洗浄する方法として、この工作物を洗浄液に浸漬する方法、洗浄液中で工作物を撹拌する方法、工作物に洗浄液を吹き付ける方法、さらに工作物を洗浄液中に浸漬し、この洗浄液に超音波を与えて洗浄液を振動させる方法等が知られている。
【０００３】
【発明が解決しようとする課題】
上記のような従来の洗浄方法では、工作物の洗浄後これを自然乾燥させたのでは洗浄剤が工作物に付着して残留することがある。このため、通常は、洗浄された工作物をすすぎ液、例えば清水ですすぎ、その後熱風で乾燥させるか、減圧下で乾燥させている。洗浄された工作物を熱風で乾燥させるためには、熱風乾燥室を含む熱風乾燥用の設備ならびに洗浄された工作物を上記熱風乾燥室に送り込むための移送設備を必要とする。また、洗浄済みの工作物を減圧下で乾燥させる場合は、減圧用の設備が必要になり、いずれも装置が大がかりで高価になるという問題があった。
【０００４】
本発明は、簡単なバレル装置を用いて工作物のような被洗浄物を１つの共通の洗浄槽中で効率よく洗浄し、すすぎ洗いし、乾燥させることができるバレル洗浄装置を提供することを目的とする。
【０００５】
【課題を解決するための手段】
本発明によるバレル洗浄装置は、洗浄槽と、該洗浄槽内に配置されたバレル形のフレーム構体、該フレーム構体内で回転可能に支持され、内部に被洗浄物を収容するメッシュ構造の洗浄用バスケットおよび上記フレーム構体の一方の端板を貫通して上記バスケット内にその中心軸と一致して侵入するように設置され、底部に複数のノズルが設けられた先端が閉塞されたノズル筒とを含むバレル装置と、上記バスケットを上記フレーム構体内で回転させる駆動装置と、上記フレーム構体の上記一方の端板側に設けられたノズル筒の導入口から上記ノズル筒内に洗浄液、すすぎ液、乾燥用熱風を順次に送り込む手段とを具備している。
【０００６】
フレーム構体としては、その両端板間にバスケットを取り囲むように配置された側板を有するバレル構造のものを使用している。この場合、側板は上記バスケットから出た洗浄液、すすぎ液、乾燥用熱風を上記バスケットに向けて反射して戻す反射板として作用する。
【０００７】
フレーム構体として、その端板および側板に使用済みの洗浄液、すすぎ液、乾燥用熱風を洗浄槽内に排出するための開口が形成されているものを使用することができる。
【０００８】
ノズル筒の一例として、そのバスケット内に位置する部分の底部に、各々が下方に指向された１個の開口からなるノズルが複数個一定の間隔で設けられたものを使用することができる。
【０００９】
ノズル筒の他の例として、そのバスケット内に位置する部分の底部に、概して下方に指向された一定の角度をもって開いて形成された対をなす２個の開口からなるノズルが複数個一定の間隔で設けられたものを使用することができる。
【００１０】
駆動装置としては、バスケットを一定の方向に回転させることができるもの、または正方向、逆方向に交互に回転させることができるものが使用される。
【００１１】
洗浄液の供給、すすぎ液の供給、乾燥用熱風の供給を予め設定されたシーケンスに従って制御する制御手段を設けることにより、洗浄作業を自動運転することが可能になる。
【００１２】
【発明の実施の形態】
以下、本発明のバレル洗浄装置を図示の実施形態に従って説明する。図１は本発明のバレル洗浄装置の全体の構成を概略的に示した図である。図１で、４は本発明のバレル洗浄装置の洗浄槽で、該洗浄槽中には洗浄用バレル装置６が配置されている。バレル装置６は、把手８により支持されたバレル形、実施例では円筒状のフレーム構体１０と、該フレーム構体内で両端の回転支持部１２、１４（図３）で回転可能に支持された例えばメッシュ構造のバスケット１６と、フレーム構体１０の一方の端板１８の中心軸受部２０を貫通してバスケット１６内に伸びるノズル筒２２とからなっている。
【００１３】
バレル装置６を図２および図３の拡大図を参照してさらに詳細に説明する。バスケット１６は両端の回転支持部１２、１４でフレーム構体１０の端板１８、２４で回転可能に支持されており、支持部１４には軸２６を介してプーリ２８が結合されている。プーリ２８はチェーンあるいはベルトのような伝達手段３０を介してモータのような駆動装置３２が結合されており（図１）、該駆動装置３２が動作すると、バスケット１６はフレーム構体１０内で回転する。
【００１４】
前述のように、ノズル筒２２はフレーム構体１０の一方の端板１８の中心の軸受け部２０を貫通してバスケット１６内に侵入している。ノズル筒２２は上記軸受け部２０にろう付けその他の方法によって固定されている。また、ノズル筒２２のバスケット１６内の先端は閉塞されている。
【００１５】
ノズル筒２２のバスケット内にある部分の底部には、導入口３４から送り込まれる洗浄液、すすぎ液、あるいは乾燥用熱風を、バスケット内に収容された工作物のような被洗浄物３６に向けて噴出させるためのノズル３８が設けられている。図２に示すように、各ノズル３８は約５°乃至２０°の角度で概して下方に向けて開いた対をなす２個の噴出口をもつ構造のものであることが、被洗浄物３６の洗浄、すすぎ洗い、乾燥を一様且つ効率よく行うことができるという点で望ましいが、真下に指向された１個の噴出口をもつ構造のものでもよい。
【００１６】
フレーム構体１０の端板１８、２４、および側板部４０は、バスケット１６から出てきた洗浄液、すすぎ液、乾燥用の熱風をバスケット１６に向けて反射させるための反射板として作用する。反射板として作用するこれらの端板１８、２４、側板部４０には、使用済みの洗浄液、すすぎ液、乾燥用風を洗浄槽４に排出させるための開口４２、４２、・・・が形成されている。
【００１７】
図１に戻って、４４は洗浄槽４内の液面を検出する液面検出器で、液面がセンサ４６のレベルに到達すると、そのレベル以上に上昇するのを防止するのに必要な制御信号を発生する。洗浄槽４の底部には洗浄液の排水用配管５０が設けられており、該排水用配管５０は排水バルブ５２を介して排水用バッファタンク５４に結合されている。５６は必要に応じてバッファタンク５４内の使用済み洗浄液を排出するための排水バルブである。
【００１８】
６０は新しい洗浄液および／または再生洗浄液が貯蔵された洗浄液タンクで、該洗浄液タンク６０はポンプ６２、洗浄液バルブ６４、および配管６６を介してノズル筒２２の導入口３４に結合されている。７０はブロワーで、該ブロワーから送り出された風は熱交換器７２で加熱されて、バルブ７４および配管７６を経てノズル筒２２の導入口３４に送り込まれる。８０はすすぎ液として例えば精製されたすすぎ用水を貯蔵する貯水槽で、被洗浄物３６のすすぎ洗い時にバルブ８２を開いてこのすすぎ用水を配管８４を経てノズル筒２２の導入口３４に供給する。
【００１９】
点線で示すように、バッファタンク５４にバルブ９０を介して洗浄液の再生処理装置を結合し、使用済みの洗浄液に蒸留、濾過等の必要な処理を施して、配管９４を介して洗浄液タンク６０に戻すようにしてもよい。
【００２０】
次に図１に示す本発明のバレル洗浄装置の動作を説明する。洗浄工程では、先ず排水バルブ５２を開いて洗浄槽４内の洗浄液を排出しておく。被洗浄物３６をバスケット１６に収容し、これをフレーム構体１０と共に洗浄槽４内に配置する。バスケット１６を具えたフレーム構体１０は、把手８がクレーンその他の運搬機構（図示せず）で保持されて上記洗浄槽４内に配置される。排水バルブ５２を閉じ、洗浄液バルブ６４を開き、ポンプ６２を動作させる。洗浄液タンク６０内の洗浄液はノズル筒２２の導入口から該ノズル筒内に送り込まれ、これによって各ノズル３８から高圧の洗浄液が被洗浄物３６に向けて噴出する。
【００２１】
駆動装置３２を動作させると、バスケット１６はフレーム構体１０内で回転し、バスケット１６の回転と共にその中に収容された被洗浄物３６も移動し、ある程度移動すると重力でバスケット１６の底方向に転がりながら落下し、被洗浄物３６はその全面が高圧の洗浄液により洗浄される。バスケット１６の回転に伴って該バスケットから噴出した洗浄液は、反射板として作用するフレーム構体１０の特に側板部４０で反射されて上記バスケット１６に戻される。洗浄済みの洗浄液は端板１８、２４、側板部４０に形成された開口４２から洗浄槽４内に流出してそこに溜まる。洗浄槽４内の洗浄液４８が液面センサ４６のレベルに達すると、液面検出器４４は制御信号を発生して、ポンプ６２を停止させ、バルブ６４を閉じて洗浄液の供給を停止する。被洗浄物３６の種類によって異なるが、バスケット１６の回転速度は一例として毎分３乃至４回転に定められており、洗浄時間は１０分程度に設定されている。
【００２２】
引続き駆動装置３２を動作させて、バスケット１６を上記の回転速度より低速で回転させて、洗浄槽４中に溜まった洗浄液４８で被洗浄物３６をさらに所定時間洗浄する。次に駆動装置３２を停止させ、排水バルブ５２を開いて使用済み洗浄液をバッファタンク５４に排出する。
【００２３】
次のすすぎ洗い工程では、排水バルブ５２を閉じ、すすぎ用水のバルブ８２を開いて貯水槽８０からすすぎ洗い用の清水を導入口３４からノズル筒２２に送り込む。各ノズル３８からすすぎ水が噴出し、被洗浄物３６のすすぎ洗いが行なわれる。駆動装置３２を動作させてバスケット１６を回転させると、洗浄時と同様に被洗浄物３６は回転子ながらバスケット１６の底に落下し、被洗浄物３６の全面が効率よくすすぎ洗いされる。このとき排水バルブ５２を閉じておけば、すすぎ水は洗浄槽４に溜まり、これが予め設定されたレベルに達すると、液面検出器４４の制御信号によりバルブ８２を閉じてすすぎ水の供給を停止する。その後所定時間バスケット１６を回転させて溜まったすすぎ水でさらにすすぎ洗いを行なう。
【００２４】
駆動装置３２を停止させてバスケット１６の回転を止め、排水バルブ５２を開いてすすぎ水をバッファタンク５４に排水する。なお、すすぎ洗い工程では、排水バルブ５２を開いた状態でノズル筒２２にすすぎ水を供給して、ノズル筒２２の各ノズル３８から噴出するすすぎ水だけで回転するバスケット内の被洗浄物３６をすすぎ洗いしてもよい。そうすると、被洗浄物３６に汚染したすすぎ水が付着する心配はない。すすぎ工程でも、バスケットの回転速度は例えば毎分３乃至４回転に設定される。
【００２５】
最後の乾燥工程では、排水バルブ５２を開いて洗浄槽４内のすすぎ水を完全に排出して、バルブ７４を開き、ブロワー７０および熱交換器７２を動作させる。
また、駆動装置３２を動作させてバスケット１６を例えば毎分３乃至４回転の割合で回転させる。熱交換器７２で例えば１２０℃乃至１５０℃に加熱された熱風はノズル筒２２の導入口３４から該ノズル筒に送り込まれ、各ノズル３８から回転するバスケット１６内の被洗浄物３６に向けて噴出し、これを乾燥させる。バスケット１６から出た熱風は反射板として作用するフレーム構体の側板部４０で反射されてバスケット１６に戻り、被洗浄物３６を効率よく乾燥させることができる。乾燥に伴って発生した水蒸気は熱風と共に開口４２から洗浄槽４に排出され、外界に排出される。熱風は一般に加熱されたエアーが使用されるが、必要に応じて加熱窒素が使用されることもある。
【００２６】
洗浄、すすぎ洗い、乾燥の各工程で、バスケット１６の回転方向を一定の方向に固定してもよいが、回転方向を所定の時間毎に反転させてもよい。バスケット１６の回転方向を反転させると、バスケット内の被洗浄物３６の移動方向、落下の方向が変化し、より一様に洗浄、すすぎ洗い、乾燥を行うことができる。
【００２７】
洗浄工程、すすぎ洗い工程、乾燥工程に必要な各バルブの開閉、ポンプ６２、ブロワー７０、熱交換器７２の各動作を一定のシーケンスに従って自動的に制御する制御手段を設けて、洗浄、すすぎ洗い、乾燥の各工程を自動的に行わせることも可能である。
【００２８】
【発明の効果】
以上のように、本発明によれば、ノズル筒２２に洗浄液、すすぎ液、乾燥用熱風を順次に送り込むことにより、被洗浄物３６を同じ洗浄槽４中で洗浄し、すすぎ洗いし、乾燥させることができ、従来装置のように専用の乾燥室、被洗浄物を乾燥室に移送するための移送手段、あるいは乾燥のための減圧設備等を設ける必要がなく、全体の構造が簡単であるにも拘わらず極めて効率よく被洗浄物の洗浄、すすぎ洗い、乾燥を連続して実行することができるという効果が得られる。
【００２９】
また、被洗浄物を収容するバスケット１６を回転可能に支持するフレーム構体１０に上記バスケットを取り囲むように反射板として作用する側板部４０を設けることにより、洗浄時、すすぎ洗い時、乾燥時に上記バスケットから噴出する洗浄液、すすぎ液、熱風を反射させて上記バスケット１６に戻すことができ、洗浄、すすぎ洗い、乾燥をより効率的に実行することができるという効果を奏することができる。
【図面の簡単な説明】
【図１】本発明のバレル洗浄装置の全体の構造を概略的に示した説明図である。
【図２】図１のＡ−Ａ′線に沿う断面を概略的に示した図である。
【図３】図１の洗浄槽とその中に配置されたバレル装置の構造を概略的に示す拡大図である。
【符号の説明】
４  洗浄槽
６  バレル装置
１０  フレーム構体
１６  バスケット
１８  端板
２２  ノズル筒
２４  端板
３２  駆動装置
３４  導入口
３８  ノズル
４０  側板部
６０  洗浄液タンク
６２  ポンプ
６４  洗浄液バルブ
７０  ブロワー
７２  熱交換器
８０  すすぎ洗い用貯水槽
【図１】
0004566479.tif 000002
【図２】
0004566479.tif 000003
【図３】
0004566479.tif 000004